(57)【特許請求の範囲】
【請求項１】
被検者に照射されたＸ線の透過データから被検者の診断を行うためのＸ線診断装置において、装置に供給される電力を遮断する停止スイッチを有し、前記停止スイッチはその押し部を押し込むことで電力を遮断し、前記押し部を所定方向に回転させることで装置に再度遮断した電力を供給するよう構成されており、前記押し部を把持可能なように前記押し部の周囲少なくとも２箇所に開放部を設けると共に前記開放部を除く周囲部分に押し込まれていない状態の前記押し部と同等またはそれより高いブロック部を形成したことを特徴とするＸ線診断装置。
【発明の詳細な説明】
【０００１】
【発明の属する技術分野】
本発明は、被検者に照射されたＸ線の透過データから被検者の診断を行うためのＸ線診断装置に関する。
【０００２】
【従来の技術】
被検者にＸ線を照射し、被検者を透過したデータを検知して被検者の診断を行うＸ線診断装置は、被検者のＸ線透視像の撮像を行うＸ線透視装置や、被検者の３６０度方向から透過データを採取して種種の画像処理を施すことによって被検者の断層像を撮像するＸ線ＣＴ装置などが広く用いられている。
【０００３】
図５は、Ｘ線診断装置の一つである従来のＣ型アームを備えた多方向Ｘ線透視撮影台を示している。同図において、多方向Ｘ線透視撮影台は撮影台１０１とコンソール部１００とならなり、撮影台１０１において、基台１７をベースとして、天板３上の被検者４の上方にＴＶカメラ１０を備えたＩ．Ｉ．（イメージインテンシファイヤ）２が配設されている。
【０００４】
また、これと対向して被検者４の下方にはＸ線管１が体軸回りＣアーム１４に取り付けられており、Ｉ．Ｉ．（イメージインテンシファイヤ）２とＸ線管１とが一体となって、身長方向移動ガイド１６上を被検者４に対して矢印で示すＡ方向に移動するように構成されている。そして、被検者４を載せた天板３は透視撮影台を立位にまで天板３を起倒Ｃアーム１５に沿って矢印で示すＢ方向に起倒することができ、さらに、被検者４の体軸回りに、Ｉ．Ｉ．（イメージインテンシファイヤ）２とＸ線管１とを体軸回りＣアーム１４に沿って矢印で示すＣ方向に回転することができるよう構成されている。
【０００５】
コンソール部１００において、操作者１９はモニタ１８を見ながら、撮影のための検査条件の設定や各種操作などを操作ハンドル５、操作パネル２０、及び選択スイッチ９を用いて行う。通常これらのＸ線診断装置では、撮像に際してＸ線管１や天板３など種種の構成部分が移動するため、被検者４に危険が生じた場合、迅速に装置全体を停止させる必要が生じる。このため、装置全体を停止するための非常停止スイッチ４０がコンソール部１００に備えられており、非常停止スイッチ４０を押すことによって装置全体に供給されているすべての電力が遮断され装置のすべての動作が停止する。
【０００６】
非常停止スイッチ４０には、種種のものが存在するが、スイッチを押すと押し込んだ位置でロックされ、装置全体に供給される電力が完全に遮断されと共に、スイッチの押し部を回転させることで、スイッチのロック状態を解除し、電力を復帰させる構成のものが広く使用されている。
【０００７】
図６は、かかる構成の従来の非常停止スイッチ４０を示しており、図６(a)はその平面図、図６(b)はその側断面図である。非常停止スイッチ４０は、押し部４０ａを押し込むことで、押し込んだ位置でロックされ、押し部４０ａを矢印の方向へ回転させることで元の位置に復帰させることが可能なように構成されている。また、誤って押し部４０ａを押し込むことのないように、ブロック部４０ｂが押し部４０ａの周囲に略同一高さに形成されている。
【０００８】
【発明が解決しようとする課題】
しかし、かかる非常停止スイッチでは、電力を復帰させたい場合、押し部４０ａを回転させる必要があるため、指を入れて押し部４０ａを把持できるためのスペースを有する開放部４０ｃを形成する必要がある。このため、非常停止スイッチ４０のサイズが大きくなり、ひいてはコンソール部１００が大型化するという問題があった。
【０００９】
また、開放部４０ｃは指が入る程度の大きさが必要となるため、誤って手のひらを非常停止スイッチ４０に載せた場合でも手のひらの位置によっては押し部４０ａを押しこんでしまう場合があり、ブロック部４０ｂの機能が半減するという問題があった。
【００１０】
なお、スイッチのサイズを小さくするために、図７（ａ）（ｂ）に示すように、押し部４０ａの周囲１８０度に開放部４０ｃ’を設け、押し部４０ａとブロック部４０ｂ’との隙間を狭めることも考えられるが、かかる構成を用いた場合であっても、スイッチサイズの小型化は図れるものの、依然として誤って押し部４０ａを押し込んでしまうという問題を解決することはできない。
【００１１】
本発明は、このような事情に鑑みてなされたものであって、誤ってスイッチを押し込むことがなく、しかも小スペース化が可能な非常停止スイッチを備えたＸ線診断装置の提供を目的とする。
【００１２】
【課題を解決するための手段】
上記の目的を達成するため、本発明のＸ線診断装置は、装置に供給される電力を遮断する停止スイッチを有し、前記停止スイッチはその押し部を押し込むことで電力を遮断し、前記押し部を所定方向に回転させることで装置に再度遮断した電力を供給するよう構成されており、前記押し部を把持可能なように前記押し部の周囲少なくとも２箇所に開放部を設けると共に前記開放部を除く周囲部分に押し込まれていない状態の前記押し部と同等またはそれより高いブロック部を形成したことを特徴とする。
【００１３】
前記ブロック部は凸部として前記押し部の周囲に形成されていることを特徴とする。また、前記押し部は前記スイッチの取り付け部分に形成した凹部に収められており、前記凹部には対向する位置に前記押し部を把持可能な前記開放部が形成されており、前記開放部以外の部分を前記ブロック部として形成したことを特徴とする。
【００１４】
【発明の実施の形態】
本発明のＸ線診断装置の基本的な構成は、たとえば図５で示されたものと同じであるため、ここでは、本発明の要旨となる非常停止スイッチの構成を図１に基づいて説明する。
【００１５】
図１において、図１(a)は非常停止スイッチ３０の平面図、図１(b)は非常停止スイッチ３０の側断面図である。非常停止スイッチ３０は、押し込むことでロックし矢印の方向に回転させることでロックが解除され、これにより装置全体への電力供給の遮断及び再開が可能な押し部３０ａと、たがいに対向し押し部３０ａの周囲に近接して形成されたブロック部となる凸部３０ｂ、及びこの凸部３０ｂ以外の部分を形成する開放部３０ｃとからなる。
【００１６】
これにより、操作者１９は非常時に押し部３０ａを押した後、互いに対向する開放部３０ｃに指を入れて押し部３０ａを把持し回転させることで、容易に遮断した電力を再開させることができる。また、凸部３０ｂは押し部３０ａの周囲に近接して形成されているため非常停止スイッチ３０のサイズを小さくすることができ、しかも、凸部３０ｂが押し部３０ａの両側に近接して配設されているため、誤って手のひらなどを非常停止スイッチ３０上に置いた場合であっても押し部３０ａの押し込みを有効に防止することができる。
【００１７】
図２は、非常停止スイッチ３０の動作状態を示しており、図2(a)は押し部３０ａの押し込み前、図２(b)は押し部３０ａを押し込みロックした状態、そして、図２(ｃ)は押し部３０ａを回転させロックが解除される中間状態を示す図である。
【００１８】
図２(a)において、押し部３０ａの下方側部には凹部３０ｄが形成されており、また、保持部３０ｇに形成された凹部３０ｇ”内には契合バネ３０ｆによって付勢された契合ボール３０ｅが配設されている。押し部３０ａはバネ支持部３０ｇ’に配設された付勢バネ３０ｉによって上方へ付勢され、その位置を保持する。この状態で接続部３０ｈはオンとなっており、装置本体に電源部からの電力が供給されている。
【００１９】
ここで、図２（ｂ）に示されるように、押し部３０ａが押されると、契合ボール３０ｅが凹部３０ｄに契合し、押し込まれた状態でロックされる。この状態で接続部３０ｈはオフとなり、装置本体への電源部からの電力が遮断される。なお、図2(b)-1は図2(b)のA-A断面図であり、凹部３０ｄは押し部３０ａの側面に沿って凹部が浅くなるよう図２(b)-1に示されるように形成されている。
【００２０】
次に、図2(ｃ)に示されるように、押し部３０ａを矢印の方向に回転させると、契合ボール３０ｅは凹部３０ｄを摺動して図2(ｃ)のA-A断面図である図２(c)-１に示されるように契合状態が解除され、結果的にロック状態が解除される。これにより、押し部３０ａは付勢バネ３０ｉによる付勢力によってもとの位置に戻り、接続部３０ｈは再度オンし、装置全体に電極が供給されるようになる。
【００２１】
図３は、コンソール部１００と撮影台１０１の両方に非常停止スイッチ３０を設けた場合の回路図であり、非常停止スイッチ３０が押されていない場合は、電源３３を介して、リレースイッチ３１がオンとなっており、装置電源３２から装置に電力が供給される。もし、コンソール部１００と撮影台１０１のいずれかの非常停止スイッチ３０が押されるとリレースイッチ３１への電力が遮断され、装置電源３２からの電力が遮断される。
【００２２】
図４は、本発明の他の実施形態の非常停止スイッチ３０’を示している。図4において、互いに対向する位置に押し部３０ａを把持可能な開放部３０ｃ’を有する凹部が非常停止スイッチ３０’の取り付け部に形成されており、押し部３０ａはこの凹部内に配設されている。開放部３０ｃ’以外の部分（コンソール部１００又は撮影台１０１における非常停止スイッチ取り付け部付近の平面部分）がブロック部３０ｂ’を形成している。これにより、非常停止スイッチ３０’のスペースをより少なくすることができ、また、誤って非常停止スイッチ３０’を押すことも確実に防止することが可能となる。
【００２３】
【発明の効果】
本発明のＸ線診断装置によれば、非常停止スイッチのサイズを小さくできるため、操作部などの小スペース化を図ることが出来、しかも、誤って非常停止スイッチを押すことを確実に防止することが可能となる。
【図面の簡単な説明】
【図１】本発明のＸ線診断装置に用いる非常停止スイッチの他の実施形態を示す図である。
【図２】本発明のＸ線診断装置に用いる非常停止スイッチの動作状態を示す図である。
【図３】非常停止スイッチをコンソール部と撮影台に設けた場合の回路の概略構成を示す図である。
【図４】本発明のＸ線診断装置に用いる非常停止スイッチの一実施形態を示す図である。
【図５】従来のＸ線診断装置の概略を示す図である。
【図６】従来のＸ線診断装置に用いる非常停止スイッチを示す図である。
【図７】従来のＸ線診断装置に用いる非常停止スイッチの改良したものを示す図である。
【符号の説明】
３０…非常停止スイッチ
押し部３０ａ…押し部
３０ｂ…ブロック部
開放部３０ｃ…開放部
【図１】
0004238420.tif 000002
【図２】
0004238420.tif 000003
【図３】
0004238420.tif 000004
【図４】
0004238420.tif 000005
【図５】
0004238420.tif 000006
【図６】
0004238420.tif 000007
【図７】
0004238420.tif 000008